(57)【要約】【課題】除湿ユニットの異常に起因する除湿能力の低下を抑制する。【解決手段】複数の除湿部（11,…,11）の各々は、第１および第２の吸着熱交換器（101,102）を含む冷媒回路（100）と、第１および第２の吸着熱交換器（101,102）の空気通路を切換可能な空気通路切換部（106,107）とを有している。制御ユニット（30）は、複数の除湿部（11,…,11）のうち異常が検出された除湿部において冷媒回路（100）を停止させるための動作と第１および第２の吸着熱交換器（101,102）を通過する空気の流れが遮断されるように空気通路切換部（106,107）を制御するための動作とを実行するように構成されている。【選択図】図１
2014149119.tif 000002
【特許請求の範囲】
【請求項１】
室外の空気を調湿空間（S100）へ給気するための給気通路（P1）に配置された第１の除湿ユニット（10）と、
上記給気通路（P1）において上記第１の除湿ユニット（10）の下流に配置された第２の除湿ユニット（20）と、
制御ユニット（30）とを備え、
上記第１の除湿ユニット（10）は、複数の除湿部（11,…,11）によって構成され、
上記複数の除湿部（11,…,11）の各々は、表面に吸着剤が設けられた第１および第２の吸着熱交換器（101,102），圧縮機（103），膨張弁（104），および四方切換弁（105）によって構成された冷媒回路（100）と、該第１および第２の吸着熱交換器（101,102）の空気通路を切換可能な空気通路切換部（106,107）とを有し、
上記制御ユニット（30）は、上記複数の除湿部（11,…,111）の各々について異常の有無を検出し、該複数の除湿部（11,…,11）のうち異常が検出された除湿部において上記冷媒回路（100）を停止させるための動作と上記第１および第２の吸着熱交換器（101,102）を通過する空気の流れが遮断されるように上記空気通路切換部（106,107）を制御するための動作とを実行するように構成されている
ことを特徴とする除湿システム。
【請求項２】
請求項１において、
上記複数の除湿部（11,…,11）の各々は、上記第１および第２の吸着熱交換器（101,102）を通過する空気の流れを生成する第１および第２のファン（600,700）を有し、
上記制御ユニット（30）は、上記複数の除湿部（11,…,11）のうち異常が検出された除湿部を除く他の除湿部において上記第１および第２の吸着熱交換器（101,102）を通過する空気の風量が増加するように上記第１および第２のファン（600,700）を制御するように構成されている
ことを特徴とする除湿システム。
【請求項３】
請求項２において、
上記制御ユニット（30）は、上記複数の除湿部（11,…,11）のうち異常が検出された除湿部を除く他の除湿部において上記圧縮機（103）の運転周波数を増加させるように構成されている
ことを特徴とする除湿システム。
【請求項４】
請求項１〜３のいずれか１項において、
上記第２の除湿ユニット（20）は、上記給気通路（P1）を流れる空気中の水分を吸着させる吸着ロータ（21）と、該吸着ロータ（21）からの空気を加熱して該吸着ロータ（21）に戻すことにより該吸着ロータ（21）の除湿能力を再生する加熱器（22）とを有し、
上記制御ユニット（30）は、上記複数の除湿部（11,…,11）のうち少なくとも１つの除湿部において異常が検出された場合に、上記第２の除湿ユニット（20）の加熱器（22）の加熱温度を上昇させるように構成されている
ことを特徴とする除湿システム。
【発明の詳細な説明】
【技術分野】
【０００１】
この発明は、調湿空間を除湿する除湿システムに関する。
【背景技術】
【０００２】
従来より、表面に吸着剤が設けられた吸着熱交換器を有する除湿ユニットを用いて調湿空間の除湿を行う除湿システムが知られている（例えば、特許文献１）。このような除湿システムにおいて、除湿ユニットは、圧縮機と膨張弁と２つの吸着熱交換器とが接続されて冷媒循環方向が所定時間毎に交互に切り換わる冷媒回路を有している。蒸発器として機能する吸着熱交換器では、この吸着熱交換器を通過する空気中の水分が吸着剤に吸着される吸着動作が行われ、その際に生じる吸着熱が冷媒に吸収される。一方、凝縮器として機能する吸着熱交換器では、吸着剤に吸着された水分を冷媒によって加熱することによって吸着剤から脱離させて吸着剤を再生する再生動作が行われる。すなわち、除湿ユニットでは、２つの吸着熱交換器が蒸発器と凝縮器とに交互に切り換わることにより、吸着動作と再生動作とが交互に行われている。そして、蒸発器として機能する吸着熱交換器を通過した空気が調湿空間に供給されることにより、調湿空間が除湿され、凝縮器として機能する吸着熱交換器を通過した空気が室外に排気される。
【先行技術文献】
【特許文献】
【０００３】
【特許文献１】特開２０１０−２８１４７６号公報
【発明の概要】
【発明が解決しようとする課題】
【０００４】
ところで、除湿ユニットの除湿能力を向上させるために、それぞれが２つの吸着熱交換器を有する複数の除湿部を並列に接続することによって除湿ユニットを構成することが考えられる。しかしながら、このように除湿ユニットを構成した場合、複数の除湿部のいずれかに異常が発生すると、異常が発生した除湿部の除湿能力が低下して除湿量が減少してしまうので、除湿ユニットにおける除湿率（所定時間内において除湿ユニットを通過する空気の総量に対して除湿ユニットにおいて所定時間内に空気中から取り除かれる水分の総量が占める割合）が低下し、その結果、除湿システムの除湿能力が低下してしまう可能性がある。
【０００５】
そこで、この発明は、除湿ユニットの異常に起因する除湿能力の低下を抑制することが可能な除湿システムを提供することを目的とする。
【課題を解決するための手段】
【０００６】
第１の発明は、室外の空気を調湿空間（S100）へ給気するための給気通路（P1）に配置された第１の除湿ユニット（10）と、上記給気通路（P1）において上記第１の除湿ユニット（10）の下流に配置された第２の除湿ユニット（20）と、制御ユニット（30）とを備え、上記第１の除湿ユニット（10）が、複数の除湿部（11,…,11）によって構成され、上記複数の除湿部（11,…,11）の各々が、表面に吸着剤が設けられた第１および第２の吸着熱交換器（101,102），圧縮機（103），膨張弁（104），および四方切換弁（105）によって構成された冷媒回路（100）と、該第１および第２の吸着熱交換器（101,102）の空気通路を切換可能な空気通路切換部（106,107）とを有し、上記制御ユニット（30）が、上記複数の除湿部（11,…,111）の各々について異常の有無を検出し、該複数の除湿部（11,…,11）のうち異常が検出された除湿部において上記冷媒回路（100）を停止させるための動作と上記第１および第２の吸着熱交換器（101,102）を通過する空気の流れが遮断されるように上記空気通路切換部（106,107）を制御するための動作とを実行するように構成されていることを特徴とする除湿システムである。
【０００７】
上記第１の発明では、給気通路（P1）を流れる空気が第１の除湿ユニット（10）の複数の除湿部（11,…,11）のうち異常が検出された除湿部の第１および第２の吸着熱交換器（101,102）（すなわち、冷媒回路（100）の停止により除湿能力が低下した吸着熱交換器）を通過しないようにすることができる。これにより、所定時間内において複数の除湿部（11,…,11）の各々を通過する空気（具体的には、給気通路（P1）の空気）の総量に対して複数の除湿部（11,…,11）の各々において所定時間内に空気中から取り除かれる水分の総量が占める割合（すなわち、第１の除湿ユニット（10）における除湿率）の低下を抑制することができる。
【０００８】
第２の発明は、上記第１の発明において、上記複数の除湿部（11,…,11）の各々が、上記第１および第２の吸着熱交換器（101,102）を通過する空気の流れを生成する第１および第２のファン（600,700）を有し、上記制御ユニット（30）が、上記複数の除湿部（11,…,11）のうち異常が検出された除湿部を除く他の除湿部において上記第１および第２の吸着熱交換器（101,102）を通過する空気の風量が増加するように上記第１および第２のファン（600,700）を制御するように構成されていることを特徴とする除湿システムである。
【０００９】
上記第２の発明では、複数の除湿部（11,…,11）のうち異常が検出された除湿部において空気の通過が遮断されることにより第１の除湿ユニット（10）の風量が低下してしまうが、複数の除湿部（11,…,11）のうち異常が検出されていない除湿部の第１および第２の吸着熱交換器（101,102）を通過する空気の風量を増加させることにより、第１の除湿ユニット（10）の風量不足を補うことができる。
【００１０】
第３の発明は、上記第２の発明において、上記制御ユニット（30）が、上記複数の除湿部（11,…,11）のうち異常が検出された除湿部を除く他の除湿部において上記圧縮機（103）の運転周波数を増加させるように構成されていることを特徴とする除湿システムである。
【００１１】
上記第３の発明では、複数の除湿部（11,…,11）のうち異常が検出されていない除湿部において圧縮機（103）の運転周波数を増加させることにより、異常が検出されていない除湿部の除湿能力を増加させることができる。これにより、第１の除湿ユニット（10）における除湿率を増加させることができる。
【００１２】
第４の発明は、上記第１〜第３の発明のいずれか１つにおいて、上記第２の除湿ユニット（20）が、上記給気通路（P1）を流れる空気中の水分を吸着させる吸着ロータ（21）と、該吸着ロータ（21）からの空気を加熱して該吸着ロータ（21）に戻すことにより該吸着ロータ（21）の除湿能力を再生する加熱器（22）とを有し、上記制御ユニット（30）が、上記複数の除湿部（11,…,11）のうち少なくとも１つの除湿部において異常が検出された場合に、上記第２の除湿ユニット（20）の加熱器（22）の加熱温度を上昇させるように構成されていることを特徴とする除湿システムである。
【００１３】
上記第４の発明では、第２の除湿ユニット（20）の加熱器（22）の加熱温度を上昇させることにより、第２の除湿ユニット（20）（具体的には、吸着ロータ（21））の除湿能力を増加させることができる。
【発明の効果】
【００１４】
第１の発明によれば、第１の除湿ユニット（10）において異常が発生した場合に、第１の除湿ユニット（10）における除湿率の低下を抑制することができるので、第１の除湿ユニット（10）の異常に起因する除湿システム（1）の除湿能力の低下を抑制することができる。
【００１５】
第２の発明によれば、第１の除湿ユニット（10）の風量不足を補うことができるので、給気通路（P1）における風量低下を抑制することができる。
【００１６】
第３の発明によれば、第１の除湿ユニット（10）における除湿率を増加させることができるので、除湿システム（1）の除湿能力の低下を抑制しつつ給気通路（P1）の風量低下を抑制することができる。
【００１７】
第４の発明によれば、第１の除湿ユニット（10）において異常が発生した場合に、第２の除湿ユニット（20）の除湿能力を増加させることができるので、除湿システム（1）の除湿能力の低下をさらに抑制することができる。
【図面の簡単な説明】
【００１８】
【図１】除湿システムの構成について説明するための概略図。
【図２】第１の除湿ユニットの構成について説明するための概略図。
【図３】除湿部の構造について説明するための概略図。
【図４】第１の流路状態における空気の流れについて説明するための概略図。
【図５】第２の流路状態における空気の流れについて説明するための概略図。
【発明を実施するための形態】
【００１９】
以下、この発明の実施の形態を図面を参照して詳しく説明する。なお、図中同一または相当部分には同一の符号を付しその説明は繰り返さない。
【００２０】
（除湿システム）
図１は、除湿システム（1）の構成例を示している。この除湿システム（1）は、調湿空間（S100）（例えば、リチウム電池の製造ラインに設けられるドライクリーンルーム）を除湿するものであり、室外空気（OA）を除湿して空気の露点を低下させ、この空気を給気（SA）として調湿空間（S100）に供給するように構成されている。この除湿システム（1）には、給気通路（P1）と、再生空気通路（P2）と、還気通路（P3）と、冷却空気通路（P4）とが設けられている。そして、この除湿システム（1）は、冷却器（41）と、第１の除湿ユニット（10）と、第２の除湿ユニット（20）と、コントローラ（30）（制御ユニット）とを備えている。
【００２１】
〈給気通路〉
給気通路（P1）は、室外の空気を調湿空間（S100）に供給するための空気通路であり、流入端が室外に開口するとともに流出端が調湿空間（S100）において開口している。冷却器（41），第１の除湿ユニット（10），第２の除湿ユニット（20）は、室外空気の入口側（流入端側）から順に給気通路（P1）に配置されている。給気通路（P1）に取り込まれた室外空気（OA）は、冷却器（41），第１の除湿ユニット（10），および第２の除湿ユニット（20）において除湿された後に、給気（SA）として調湿空間（S100）に供給されることになる。なお、この例では、冷却器（41）の近傍には、ドレンパン（42）が設けられている。
【００２２】
〈再生空気通路〉
再生空気通路（P2）は、給気通路（P1）の空気の一部を利用して第１および第２の除湿ユニット（10,20）の除湿能力を再生させるための空気通路であり、流入端が給気通路（P1）の中途部（具体的には、給気通路（P1）のうち第１の除湿ユニット（10）から第２の除湿ユニット（20）まで延びる通路部）に接続されるとともに、流出端が室外に開口している。再生空気通路（P2）に取り込まれた空気（給気通路（P1）の空気の一部）は、第１および第２の除湿ユニット（10,20）の除湿能力を再生させた後、排気（EA）として室外に排出されることになる。なお、この例では、給気通路（P1）のうち給気通路（P1）と再生空気通路（P2）との接続部から第２の除湿ユニット（20）まで延びる通路部には、給気ファン（43）が設けられ、再生空気通路（P2）のうち第１の除湿ユニット（10）と再生空気通路（P2）の流出端との間の通路部には、排気ファン（44）が設けられている。
【００２３】
〈還気通路〉
還気通路（P3）は、調湿空間（S100）内の空気（RA）を給気通路（P1）の中途部に供給するための空気通路であり、流入端が調湿空間（S100）に連通する還気口に接続されるとともに、流出端が給気通路（P1）の中途部（具体的には、給気通路（P1）のうち第１の除湿ユニット（10）から給気通路（P1）と再生空気通路（P2）との接続部まで延びる通路部）に接続されている。すなわち、還気通路（P3）の流出端は、再生空気通路（P2）の流出端よりも給気通路（P1）の上流側に位置している。なお、この例では、還気通路（P3）には、還気ファン（45）が設けられている。
【００２４】
〈冷却空気通路〉
冷却空気通路（P4）は、給気通路（P1）の空気（冷却器（41）によって冷却除湿された空気）の一部を再生空気通路（P2）に供給するための空気通路であり、流入端が給気通路（P1）の上流部（具体的には、給気通路（P1）のうち冷却器（41）から第１の除湿ユニット（10）まで延びる通路部）に接続されるとともに、流出端が再生空気通路（P2）の下流部（具体的には、再生空気通路（P2）のうち第２の除湿ユニット（20）から第１の除湿ユニット（10）まで延びる通路部）に接続されている。
【００２５】
〈冷却器およびドレンパン〉
冷却器（41）は、室外空気（OA）を冷却して除湿する。例えば、冷却器（41）は、冷媒回路（図示を省略）の蒸発器として機能する熱交換器（具体的には、フィンアンドチューブ式の熱交換器）によって構成されている。ドレンパン（42）は、冷却器（41）において凝縮された水を回収する。例えば、ドレンパン（42）は、冷却器（41）において凝縮された水を受け止めることができるように、上面が開口する容器によって構成されて冷却器（41）の下方に配置されている。
【００２６】
〈第１の除湿ユニット〉
第１の除湿ユニット（10）は、複数（この例では、５つ）の除湿部（11,…,11）によって構成されている。図２のように、複数の除湿部（11,…,11）は、互いに並列に接続されている。除湿部（11,…,11）の各々は、冷媒回路（100）と、空気通路切換部（106,107）とを有している。
【００２７】
《冷媒回路》
冷媒回路（100）は、冷媒を循環させて冷凍サイクルを実行するものであり、第１および第２の吸着熱交換器（101,102）と、圧縮機（103）と、膨張弁（104）と、四方切換弁（105）とによって構成されている。なお、この例では、冷媒回路（100）には、冷媒回路（100）の高圧圧力（凝縮圧力）を検出するための高圧圧力センサ（111）と、冷媒回路（100）の低圧圧力（蒸発圧力）を検出するための低圧圧力センサ（112）とが設けられている。
【００２８】
第１および第２吸着熱交換器（101,102）の各々は、フィンアンドチューブ式の熱交換器の表面に吸着剤（例えば、高分子収着剤やＢ型シリカゲルなど）を担持させることによって構成されている。圧縮機（103）は、冷媒を圧縮して吐出するように構成されている。例えば、圧縮機（103）は、ロータリー式，スイング式，スクロール式などの回転式流体機械によって構成されている。この例では、圧縮機（103）は、インバータ回路（図示を省略）により運転周波数を調節可能な可変容量式の圧縮機によって構成されている。すなわち、圧縮機（103）は、コントローラ（30）の制御によって運転周波数を変更可能に構成されている。膨張弁（104）は、冷媒の圧力を調整するように構成されている。この例では、膨張弁（104）は、コントローラ（30）による制御に応答して開度を変更可変な電子膨張弁によって構成されている。
【００２９】
四方切換弁（105）は、第１〜第４のポートを有し、第１のポートは、圧縮機（103）の吐出側に接続され、第２のポートは、圧縮機（103）の吸入側に接続され、第３のポートは、第１の吸着熱交換器（101）の端部に接続され、第４のポートは、第２の吸着熱交換器（102）の端部に接続されている。四方切換弁（105）は、コントローラ（30）による制御に応答して、第１の接続状態（図１の実線で示す状態）と、第２の接続状態（図１の破線で示す状態）とに切換可能に構成されている。四方切換弁（105）が第１の接続状態になると、第１のポートと第３のポートとが連通するとともに第２のポートと第４のポートとが連通し、第２の吸着熱交換器（102）は、蒸発器として機能して空気を除湿する吸着熱交換器（以下、除湿側吸着熱交換器と表記）となり、第１の吸着熱交換器（101）は、凝縮器として機能して吸着剤を再生する吸着熱交換器（以下、再生側吸着熱交換器と表記）となる。一方、四方切換弁（105）が第２の接続状態に切り換わると、第１のポートと第４のポートとが連通するとともに第２のポートと第３のポートとが連通し、第１の吸着熱交換器（101）は、除湿側吸着熱交換器となり、第２の吸着熱交換器（102）は、再生側吸着熱交換器となる。すなわち、四方切換弁（105）は、冷媒回路（100）の第１および第２の吸着熱交換器（101,102）が除湿側吸着熱交換器と再生側吸着熱交換器とに交互に切り換わるように冷媒回路（100）における冷媒循環方向を切り換える切換弁を構成している。
【００３０】
−第１の接続状態−
四方切換弁（105）が第１の接続状態に切り換えられると、圧縮機（103）によって圧縮された冷媒は、四方切換弁（105）を通過して第１の吸着熱交換器（101）に流れ込む。第１の吸着熱交換器（101）では、冷媒によって吸着剤が加熱され、吸着剤中の水分が空気へ放出される再生動作が行われる。第１の吸着熱交換器（101）において放熱して凝縮した冷媒は、膨張弁（104）によって減圧された後、第２の吸着熱交換器（102）に流れ込む。第２の吸着熱交換器（102）では、空気中の水分が吸着剤に吸着される吸着動作が行われ、その際に生じる吸着熱が冷媒に付与される。第２の吸着熱交換器（102）において吸熱して蒸発した冷媒は、圧縮機（103）に吸入されて圧縮される。
【００３１】
−第２の接続状態−
一方、四方切換弁（105）が第２の接続状態に切り換えられると、圧縮機（103）によって圧縮された冷媒は、四方切換弁（105）を通過して第２の吸着熱交換器（102）に流れ込む。第２の吸着熱交換器（102）では、冷媒によって吸着剤が加熱され、吸着剤中の水分が空気へ放出される再生動作が行われる。第２の吸着熱交換器（102）において放熱して凝縮した冷媒は、膨張弁（104）によって減圧された後、第１の吸着熱交換器（101）に流れ込む。第１の吸着熱交換器（101）では、空気中の水分が吸着剤に吸着される吸着動作が行われ、その際に生じる吸着熱が冷媒に付与される。第１の吸着熱交換器（101）において吸熱して蒸発した冷媒は、圧縮機（103）に吸入されて圧縮される。
【００３２】
《空気通路切換部》
空気通路切換部（106）は、第１および第２の吸着熱交換器（101,102）に流れ込む空気の流れを変更可能に構成され、空気通路切換部（107）は、第１および第２の吸着熱交換器（101,102）から流れ出す空気の流れを変更可能に構成されている。具体的には、空気通路切換部（106,107）は、コントローラ（30）による制御に応答して、第１および第２の吸着熱交換器（101,102）の空気通路を、第１の流路状態（図１の実線で示す状態）と第２の流路状態（図１の破線で示す状態）と流路遮断状態とに切換可能に構成されている。
【００３３】
−第１および第２の流路状態−
空気通路切換部（106,107）が第１の流路状態になると、給気通路（P1）の空気は、第２の吸着熱交換器（102）を通過し、再生空気通路（P2）の空気は、第１の吸着熱交換器（101）を通過する。空気通路切換部（106,107）が第２の流路状態になると、給気通路（P1）の空気は、第１の吸着熱交換器（101）を通過し、再生空気通路（P2）の空気は、第２の吸着熱交換器（102）を通過する。
【００３４】
−流路遮断状態−
空気通路切換部（106,107）が流路遮断状態になると、第１および第２の吸着熱交換器（101,102）を通過する空気の流れが遮断され、給気通路（P1）の空気および再生空気通路（P2）の空気は、第１および第２の吸着熱交換器（101,102）を通過しなくなる。
【００３５】
〈第２の除湿ユニット〉
第２の除湿ユニット（20）は、給気通路（P1）を流れる空気中の水分を吸着させる吸着ロータ（21）と、吸着ロータ（21）からの空気を加熱して吸着ロータ（21）に戻すことにより吸着ロータ（21）の除湿能力を再生する加熱器（22）とを有している。
【００３６】
《吸着ロータ》
吸着ロータ（21）は、円板状の多孔性の基材の表面に吸着剤（例えば、Ａ型シリカゲルやゼオライト）が設けられることにより構成されている。吸着ロータ（21）は、給気通路（P1）と、再生空気通路（P2）とに跨って配置されている。また、吸着ロータ（21）は、駆動機構（図示省略）によって駆動されて、給気通路（P1）と再生空気通路（P2）の間の軸心を中心として回転するように構成されている。
【００３７】
さらに詳しく説明すると、吸着ロータ（21）は、給気通路（P1）に露出する第１の吸着部（21a）と、再生空気通路（P2）において加熱器（22）の上流側に露出する第２の吸着部（21b）と、再生空気通路（P2）において加熱器（22）の下流側に露出する再生部（21c）とを有し、これらの吸着ロータ（21）における位置は、吸着ロータ（21）の回転に伴って移動する。具体的には、吸着ロータ（21）は、第１の吸着部（21a）であった領域が再生部（21c）となり、再生部（21c）であった領域が第２の吸着部（21b）となり、第２の吸着部（21b）であった領域が第１の吸着部（21a）となるように回転する。第１および第２の吸着部（21a,21b）において空気中の水分が吸着剤に吸着され、再生部（21c）において吸着剤中の水分が空気中へ放出される。
【００３８】
《加熱器》
加熱器（22）は、再生空気通路（P2）において吸着ロータ（21）の第２の吸着部（21b）において除湿された空気を加熱する。また、加熱器（22）は、コントローラ（30）による制御に応答して、加熱温度を変更可能に構成されている。例えば、加熱器（22）は、冷媒回路（図示を省略）の凝縮器として機能する熱交換器（具体的には、フィンアンドチューブ式の熱交換器）によって構成されている。
【００３９】
〈吸着熱交換器および吸着ロータにおける吸着剤の選定〉
なお、第１および第２の吸着熱交換器（101,102）および吸着ロータ（21）には、異なる性質の吸着剤がそれぞれ用いられている。具体的には、給気通路（P1）の上流側に位置する第１および第２の吸着熱交換器（101,102）では、高い水蒸気分圧（相対湿度）によって吸着剤を操作することになるので、高分子収着剤やＢ型シリカゲルのような吸着剤が用いられている。一方、給気通路（P1）の下流側に位置する吸着ロータ（21）では、低い水蒸気分圧（相対湿度）によって吸着剤を操作することになるので、Ａ型シリカゲルやゼオライトのような吸着剤が用いられている。すなわち、第１および第２吸着熱交換器（101,102）では、相対湿度が比較的高いときに含水率が大きく、且つ、空気の相対湿度が高くなるほど相対湿度の単位増加量当たりの吸着量が大きくなる吸着等温線を有する吸着剤が選定され、吸着ロータ（21）では、相対湿度が比較的低いときに含水率が大きく、且つ、空気の相対湿度が低くなるほど相対湿度の単位増加量当たりの吸着量が大きくなる吸着等温線を有する吸着剤が選定されている。
【００４０】
〈コントローラ（制御ユニット）〉
コントローラ（30）は、第１および第２の除湿ユニット（10,20），給気ファン（43），排気ファン（44），および還気ファン（45）を制御することにより、除湿システム（1）の運転を制御するように構成されている。例えば、コントローラ（30）は、第１の除湿ユニット（10）の除湿部（11,…,11）の各々における圧縮機（103）の運転周波数，四方切換弁（105）の切り換え動作，空気通路切換部（106,107）の切り換え動作や、第２の除湿ユニット（20）の加熱器（22）の加熱温度などを制御する。
【００４１】
また、コントローラ（30）は、除湿部（11,…,111）の各々について異常の有無を検出するように構成されている。例えば、コントローラ（30）は、除湿部（11,…,111）の各々において冷媒回路（100）に設けられた高圧圧力センサ（111）および低圧圧力センサ（112）の検出結果に基づいて、除湿部（11）の異常の有無を検出する。
【００４２】
さらに、コントローラ（30）は、除湿部（11,…,11）のうち少なくとも１つの除湿部において異常が検出された場合に、除湿部（11,…,11）のうち異常が検出された除湿部において、その除湿部の冷媒回路（100）を停止させるための動作（異常停止動作）と、その除湿部の第１および第２の吸着熱交換器（101,102）を通過する空気の流れが遮断されるように空気通路切換部（106,107）を制御するための動作（流路遮断動作）とを実行するように構成されている。異常停止動作および流路遮断動作については、後で詳しく説明する。
【００４３】
なお、この例では、コントローラ（30）は、除湿部（11,…,11）のうち少なくとも１つの除湿部において異常が検出された場合に、異常停止動作および流路遮断動作に加えて、除湿部（11,…,11）のうち異常が検出された除湿部を除く他の除湿部において、その除湿部の第１および第２の吸着熱交換器（101,102）を通過する空気の風量を増加させるための動作（風量増加動作）と、その除湿部の圧縮機（103）の運転周波数を増加させるための動作（運転周波数増加動作）と、第２の除湿ユニット（20）の除湿能力を増加させるための動作（除湿能力増加動作）とを実行するように構成されている。風量増加動作，運転周波数増加動作，除湿能力増加動作については、後で詳しく説明する。
【００４４】
〈第１の除湿ユニットによる除湿動作〉
次に、図１を参照して、第１の除湿ユニット（10）の除湿部（11,…,11）による動作について説明する。除湿部（11,…,11）の各々は、コントローラ（30）による制御に応答して、第１および第２の除湿動作を所定時間（例えば、５分間）ずつ交互に繰り返し実行する。
【００４５】
《第１の除湿動作》
第１の除湿動作では、冷媒回路（100）の四方切換弁（105）は、第１の接続状態（図１の実線で示した状態）に切り換えられ、空気通路切換部（106,107）は、第１の流路状態（図１の実線で示した状態）に切り換えられる。この場合、給気通路（P1）の空気（冷却器（41）によって冷却除湿された空気）は、蒸発器として機能する第２の吸着熱交換器（102）を通過して除湿された後、第２の除湿ユニット（20）の吸着ロータ（21）に流れ込む。一方、再生空気通路（P2）の空気は、凝縮器として機能する第１の吸着熱交換器（101）を通過して第１の吸着熱交換器（101）の吸着剤を再生させた後、排気（EA）として室外に排出される。
【００４６】
《第２の除湿動作》
第２の除湿動作では、冷媒回路（100）の四方切換弁（105）は、第２の接続状態（図１の破線で示した状態）に切り換えられ、空気通路切換部（106,107）は、第２の流路状態（図１の破線で示した状態）に切り換えられる。この場合、給気通路（P1）の空気（冷却器（41）によって冷却除湿された空気）は、蒸発器として機能する第１の吸着熱交換器（101）を通過して除湿された後、第２の除湿ユニット（20）の吸着ロータ（21）に流れ込む。一方、再生空気通路（P2）の空気は、凝縮器として機能する第２の吸着熱交換器（102）を通過して第２の吸着熱交換器（102）の吸着剤を再生させた後、排気（EA）として室外に排出される。
【００４７】
〈給気通路の空気〉
次に、給気通路（P1）を流れる空気について説明する。給気ファン（43）および排気ファン（44）が駆動されると、給気通路（P1）に室外空気（OA）（比較的高温高湿の空気）が流れ込む。給気通路（P1）に流れ込んだ空気は、冷却器（41）によって冷却除湿される。冷却時に空気中から発生した凝縮水は、ドレンパン（42）に回収される。
【００４８】
冷却器（41）によって冷却除湿された空気は、第１の除湿ユニット（10）の除湿部（11,…,11）の各々において第１および第２の吸着熱交換器（101,102）のうち蒸発器として機能する吸着熱交換器（除湿側吸着熱交換器）を通過する。このとき、空気中の水分が除湿側吸着熱交換器の吸着剤に吸着され、その際に生じる吸着熱が除湿側吸着熱交換器を流れる冷媒に吸収される。このように、除湿吸着熱交換器を通過する空気は、冷媒による冷却作用を受けるので、除湿されて湿度が低下するととともに冷却されて温度も低下する。
【００４９】
第１の除湿ユニット（10）の除湿部（11,…,11）において除湿された空気は、吸着ロータ（21）の第１の吸着部（21a）を通過する。このとき、吸着ロータ（21）の第１の吸着部（21a）を通過する空気中の水分が吸着ロータ（21）の吸着剤に吸着される。吸着ロータ（21）によって除湿された空気は、給気（SA）として調湿空間（S100）に供給される。
【００５０】
〈再生空気通路の空気〉
次に、再生空気通路（P2）を流れる空気について説明する。再生空気通路（P2）には、第１の除湿ユニット（10）によって除湿された空気の一部が再生用空気として流れ込む。再生空気通路（P2）に流れ込んだ再生用空気は、吸着ロータ（21）の第２の吸着部（21b）を通過する。このとき、再生用空気は、再生用空気中の水分が吸着ロータ（21）の吸着剤に吸着されて除湿される。吸着ロータ（21）の第２の吸着部（21b）を通過した再生用空気は、加熱器（22）によって加熱された後に、吸着ロータ（21）の再生部（21c）を通過する。このとき、吸着ロータ（21）の吸着剤中の水分が再生用空気中に放出されることにより、吸着ロータ（21）の吸着剤が再生される。
【００５１】
なお、吸着ロータ（21）の回転により、加熱器（22）によって加熱された再生用空気が通過する再生部（21c）であった領域が第２の吸着部（21b）となる。すなわち、再生部（21c）における吸着剤の再生に利用されなかった再生用空気の排熱が第２の吸着部（21b）に残存している。したがって、第２の吸着部（21b）を通過する再生用空気は、第２の吸着部（21b）に残存している排熱により予熱された後に、加熱器（22）に供給されることになる。このように、吸着ロータ（21）の除湿能力の再生に用いられなかった再生用空気の排熱を、再生空気通路（P2）の再生用空気の予熱に利用することができる。また、第２の吸着部（21b）は、給気通路（P1）から再生空気通路（P2）に流れ込んだ直後の比較的低温の再生用空気によって冷却された後、吸着ロータ（21）の回転によって第１の吸着部（21a）となる。
【００５２】
吸着ロータ（21）を再生した再生用空気は、冷却空気通路（P4）から流れ込んだ空気（冷却器（41）によって冷却除湿された空気の一部）と合流した後に、第１の除湿ユニット（10）の除湿部（11,…,11）に流れ込む。第１の除湿ユニット（10）の除湿部（11,…,11）の各々に流れ込んだ再生用空気は、第１および第２の吸着熱交換器（101,102）のうち凝縮器として機能する吸着熱交換器（再生用吸着熱交換器）を通過する。このとき、再生用空気が再生用吸着熱交換器を流れる高温高圧の冷媒と熱交換して加熱され、再生側吸着熱交換器の吸着剤中の水分が再生用空気中に放出されることにより、再生側吸着熱交換器の吸着剤が再生される。再生側吸着熱交換器を再生させた再生用空気は、排気（EA）として室外へ排出される。
【００５３】
〈還気通路の空気〉
次に、還気通路（P3）を流れる空気について説明する。調湿空間（S100）の空気（RA）の一部は、還気通路（P3）を流れて給気通路（P1）に返送される。なお、この例では、調湿空間（S100）の空気（RA）の一部は、排気（EA）として室外にも排出される。還気通路（P3）を流れて給気通路（P1）に返送された空気（返送空気）は、第１の除湿ユニット（10）によって除湿された空気と混合される。調湿空間（S100）から返送された空気は、第１の除湿ユニット（10）によって除湿された空気よりも低湿となっている。そのため、第１の除湿ユニット（10）によって除湿された空気は、返送空気と混合されることにより、さらに低湿となる。このように、低湿の給気の一部が再生空気通路（P2）に流れ込むことにより、吸着ロータ（21）の除湿能力の再生を促進させることができる。
【００５４】
また、還気通路（P3）を流れる空気は、還気ファン（45）によって給気通路（P1）へ押し込まれる。そのため、給気通路（P1）内を陽圧にすることができるので、給気通路（P1）に高湿の外気が吸い込まれることを防止することができる。したがって、給気（SA）の湿度が上昇することを防止することができる。
【００５５】
〈除湿部の構造〉
次に、図３を参照して、除湿部（11）の構造について詳しく説明する。なお、以下の説明において用いる「上」「下」「左」「右」「前」「後」「手前」「奥」は、除湿部（11）を前面側から見た場合の方向を意味している。
【００５６】
《ケーシング》
除湿部（11）は、冷媒回路（100）の構成部品が収容されたケーシング（50）を有している。ケーシング（50）は、やや扁平で高さが比較的低い直方体状に形成されている。ケーシング（50）には、吸湿側吸入口（61）と、再生側吸入口（71）と、給気口（62）と、排気口（72）とが形成されている。
【００５７】
《吸湿側吸入口，再生側吸入口，給気口，排気口》
吸湿側吸入口（61）および再生側吸入口（71）は、ケーシング（50）の背面パネル部（50a）に設けられている。吸湿側吸入口（61）は、背面パネル部（50a）の下側部分に設けられている。再生側吸入口（71）は、背面パネル部（50a）の上側部分に設けられている。給気口（62）は、ケーシング（50）の右側面パネル部（50b）（第１の側面パネル部）に設けられている。右側面パネル部（50b）において、給気口（62）は、ケーシング（50）の前面パネル部（50d）側の端部付近に配置されている。排気口（72）は、ケーシング（50）の左側面パネル部（50c）（第２の側面パネル部）に設けられている。左側面パネル部（50c）において、排気口（72）は、前面パネル部（50d）側の端部付近に配置されている。
【００５８】
《上流側仕切板，下流側仕切板，中央仕切板》
ケーシング（50）の内部空間には、上流側仕切板（51）と、下流側仕切板（52）と、中央仕切板（53）とが設けられている。これらの仕切板（51,52,53）は、ケーシング（50）の底板に起立した状態で設置されており、ケーシング（50）の内部空間をケーシング（50）の底板から天板に亘って区画している。上流側仕切板（51）および下流側仕切板（52）は、前面パネル部（50d）および背面パネル部（50a）と平行な姿勢で、ケーシング（50）の前後方向に所定の間隔をおいて配置されている。上流側仕切板（51）は、背面パネル部（50a）寄りに配置されている。下流側仕切板（52）は、前面パネル部（50d）寄りに配置されている。
【００５９】
《吸湿側通路室，再生側通路室》
ケーシング（50）内において、上流側仕切板（51）と背面パネル部（50a）の間の空間は、上下仕切板（54）によって上下二つの空間に仕切られており、下側の空間が吸湿側通路室（S601）を構成し、上側の空間が再生側通路室（S701）を構成している。吸湿側通路室（S601）は、吸湿側吸入口（61）に接続された給気通路（P1）の一部を構成するダクトを介して冷却器（41）と連通している。再生側通路室（S701）は、再生側吸入口（71）に接続された再生空気通路（P2）の一部を構成するダクトを介して第２の除湿ユニット（20）と連通している。吸湿側通路室（S601）には、第１のフィルタ（601）が設置され、再生側通路室（S701）には、第２のフィルタ（701）が設置されている。
【００６０】
《熱交換器室》
ケーシング（50）内における上流側仕切板（51）と下流側仕切板（52）の間の空間は、中央仕切板（53）によって左右に区画されており、中央仕切板（53）の右側の空間が第１の熱交換器室（S101）を構成し、中央仕切板（53）の左側の空間が第２の熱交換器室（S102）を構成している。第１の熱交換器室（S101）には、第１の吸着熱交換器（101）が収容されている。第２の熱交換器室（S102）には、第２の吸着熱交換器（102）が収容されている。また、図示しないが、第１の熱交換器室（S101）には、冷媒回路（100）の膨張弁（104）が収容されている。
【００６１】
−熱交換器の構造−
第１および第２の吸着熱交換器（101,102）は、全体として長方形の厚板状あるいは扁平な直方体状に形成されている。そして、第１および吸着熱交換器（101,102）は、その前面および背面が上流側仕切板（51）および下流側仕切板（52）と平行になる姿勢で、第１および第２の熱交換器室（S101,S102）内に起立した状態でそれぞれ設置されている。
【００６２】
《給気側通路室，排気側通路室》
ケーシング（50）の内部空間において、下流側仕切板（52）の前面に沿った空間は、上下仕切板（55）によって上下に仕切られており、この上下に仕切られた空間のうち、上側の空間が給気側通路室（S602）を構成し、下側の空間が排気側通路室（S702）を構成している。
【００６３】
《ダンパ（空気通路切換部）》
上流側仕切板（51）には、空気通路切換部（106）（図１および図２参照）を構成する４つのダンパ（501,502,503,504）が設けられ、下流側仕切板（52）には、空気通路切換部（107）（図１および図２参照）を構成する４つのダンパ（505,506,507.508）が設けられている。これらのダンパ（501,…,508）は、開閉式のダンパであり、概ね横長の長方形状に形成されている。
【００６４】
具体的には、上流側仕切板（51）のうち再生側通路室（S701）に面する部分（上側部分）において、ダンパ（501）は、中央仕切板（53）よりも右側に取り付けられ、ダンパ（502）は、中央仕切板（53）よりも左側に取り付けられている。また、上流側仕切板（51）のうち吸湿側通路室（S601）に面する部分（下側部分）において、ダンパ（503）は、中央仕切板（53）よりも右側に取り付けられ、ダンパ（504）は、中央仕切板（53）よりも左側に取り付けられている。
【００６５】
一方、下流側仕切板（52）のうち給気側通路室（S602）に面する部分（上側部分）において、ダンパ（505）は、中央仕切板（53）よりも右側に取り付けられ、ダンパ（506）は、中央仕切板（53）よりも左側に取り付けられている。また、下流側仕切板（52）のうち排気側通路室（S702）に面する部分（下側部分）において、ダンパ（507）は、中央仕切板（53）よりも右側に取り付けられ、ダンパ（508）は、中央仕切板（53）よりも左側に取り付けられる。
【００６６】
《給気ファン室，排気ファン室》
ケーシング（50）内において、給気側通路室（S602）および排気側通路室（S702）と前面パネル部（50d）との間の空間は、仕切板（56）によって左右に仕切られており、仕切板（56）の右側の空間が給気ファン室（S603）を構成し、仕切板（56）の左側の空間が排気ファン室（S703）を構成している。また、給気側通路室（S602）および排気ファン室（S703）は、前後仕切板（57）によって前後に仕切られており、排気側通路室（S702）および給気ファン室（S603）は、前後仕切板（58）によって前後に仕切られている。
【００６７】
−給気ファン，排気ファン−
給気ファン室（S603）には、給気ファン（600）（第１のファン）が収容され、排気ファン室（S703）には、排気ファン（700）（第２のファン）が収容されている。給気ファン（600）は、下流側仕切板（52）側から吸い込んだ空気を給気口（62）へ吹き出し、排気ファン（700）は、下流側仕切板（52）側から吸い込んだ空気を排気口（72）へ吹き出す。すなわち、給気ファン（600）および排気ファン（700）は、第１および第２の吸着熱交換器（101,102）を通過する空気の流れを生成するように構成されている。例えば、給気ファン（600）および排気ファン（700）は、遠心型の多翼ファン（いわゆるシロッコファン）によって構成されている。この例では、給気ファン（600）および排気ファン（700）は、コントローラ（30）による制御に応答して回転数を変更可能に構成されている。
【００６８】
−排気ファン室に収容される構成部品−
また、排気ファン室（S703）には、冷媒回路（100）の圧縮機（103）と四方切換弁（105）とが収容されている。圧縮機（103）および四方切換弁（105）は、排気ファン室（S703）における排気ファン（700）と仕切板（56）との間に配置されている。
【００６９】
〈除湿部における空気の流れ〉
次に、図４，図５を参照して、第１の除湿ユニット（10）の除湿部（11,…,11）における空気の流れについて説明する。なお、図４，図５において、斜線が付されていない矢印は、給気通路（P1）における空気の流れを示し、斜線が付されている矢印は、再生空気通路（P2）における空気の流れを示している。また、ダンパ（501〜508）のうち閉状態となっているダンパには、斜線が付されている。
【００７０】
《第１の除湿動作における空気の流れ》
図４のように、除湿部（11）の第１の除湿動作では、ダンパ（501,504,506,507）が開状態となり、ダンパ（502,503,505,508）が閉状態となる。この場合、吸湿側吸入口（61）を通過して吸湿側通路室（S601）に流れ込んだ空気（冷却器（41）からの空気）は、第１のフィルタ（601）を通過した後に、ダンパ（502）を通過して第２の熱交換器室（S102）に流れ込み、蒸発器として機能する第２の吸着熱交換器（102）を通過する。第２の吸着熱交換器（102）では、第２の吸着熱交換器（102）を通過する空気中の水分が吸着剤に吸着され、その際に生じた吸着熱が冷媒に吸熱される。一方、再生側吸入口（71）を通過して再生側通路室（S701）に流れ込んだ空気（吸着ロータ（21）の再生部（21c）からの空気）は、第２のフィルタ（701）を通過した後に、ダンパ（501）を通過して第１の熱交換器室（S101）に流れ込み、凝縮器として機能する第１の吸着熱交換器（101）を通過する。第１の吸着熱交換器（101）では、冷媒によって加熱された吸着剤から水分が脱離し、この脱離した水分が第１の吸着熱交換器（101）を通過する空気に付与される。
【００７１】
そして、第２の吸着熱交換器（102）において除湿された空気は、ダンパ（506）を通過して給気側通路室（S602）に流れ込んだ後に、給気ファン室（S603）に流れ込んで給気口（62）を通過して第２の除湿ユニット（20）に供給される。一方、第１の吸着熱交換器（101）において水分を付与された空気は、ダンパ（507）を通過して排気側通路室（S702）に流れ込んだ後に、排気ファン室（S703）に流れ込んで排気口（72）を通過して室外に排出される。
【００７２】
《第２の除湿動作における空気の流れ》
図５のように、除湿部（11）の第２の除湿動作では、ダンパ（502,503,505,508）が開状態となり、ダンパ（501,504,506,507）が閉状態となる。この場合、吸湿側吸入口（61）を通過して吸湿側通路室（S601）に流れ込んだ空気は、第１のフィルタ（601）を通過した後に、ダンパ（501）を通過して第１の熱交換器室（S101）に流れ込み、蒸発器として機能する第１の吸着熱交換器（101）を通過する。一方、再生側吸入口（71）を通過して再生側通路室（S701）に流れ込んだ空気は、第２のフィルタ（701）を通過した後に、ダンパ（502）を通過して第２の熱交換器室（S102）に流れ込み、凝縮器として機能する第２の吸着熱交換器（102）を通過する。
【００７３】
そして、第１の吸着熱交換器（101）において除湿された空気は、ダンパ（505）を通過して給気側通路室（S602）に流れ込んだ後に、給気ファン室（S603）に流れ込んで給気口（62）を通過して第２の除湿ユニット（20）に供給される。一方、第２の吸着熱交換器（102）において水分を付与された空気は、ダンパ（508）を通過して排気側通路室（S702）に流れ込んだ後に、排気ファン室（S703）に流れ込んで排気口（72）を通過して室外に排出される。
【００７４】
〈コントローラによる動作（異常検出後の動作）〉
次に、コントローラ（30）による異常停止動作，流路遮断動作，風量増加動作，周波数増加動作，除湿能力増加動作について説明する。ここでは、説明の簡略化のために、５つの除湿部（11,…,11）のうち第１段目の除湿部（11）において異常が発生した場合を例に挙げて説明する。
【００７５】
《異常停止動作》
コントローラ（30）は、第１段目の除湿部（11）の異常を検出すると、第１段目の除湿部（11）の冷媒回路（100）を停止させる。例えば、コントローラ（30）は、冷媒回路（100）の圧縮機（103）を停止させることにより、冷媒回路（100）を停止させる。
【００７６】
《流路遮断動作》
また、コントローラ（30）は、第１段目の除湿部（11）の異常を検出すると、第１段目の除湿部（11）の空気通路切換部（106,107）を流路遮断状態に切り換える。具体的には、コントローラ（30）は、第１段目の除湿部（11）においてダンパ（501〜508）の全部を閉状態にする。これにより、第１段目の除湿部（11）の第１および第２の吸着熱交換器（101,102）を通過する空気の流れが遮断されるので、給気通路（P1）の空気および再生空気通路（P2）の空気は、第１段目の除湿部（11）の第１および第２の吸着熱交換器（101,102）を通過しなくなる。このとき、コントローラ（30）は、異常が検出された第１段目の除湿部（11）において給気ファン（600）および排気ファン（700）が停止するように、第１段目の除湿部（11）の給気ファン（600）および排気ファン（700）を制御する。
【００７７】
《風量増加動作》
また、コントローラ（30）は、第１段目の除湿部（11）の異常を検出すると、５つの除湿部（11,…,11）のうち異常が検出された第１段目の除湿部（11）を除く４つの除湿部（異常が検出されていない第２段目〜第５段目の除湿部（11,…,11））の各々において、給気ファン（600）および排気ファン（700）（図３参照）の回転数を増加させる。これにより、第２段目〜第５段目の除湿部（11,…,11）の各々において第１および第２の吸着熱交換器（101,102）を通過する空気の風量が増加し、第１の除湿ユニット（10）を通過する空気の風量が増加する。
【００７８】
《周波数増加動作》
さらに、コントローラ（30）は、第１段目の除湿部（11）の異常を検出すると、異常が検出されていない第２段目〜第５段目の除湿部（11,…,11）の各々において、冷媒回路（100）の圧縮機（103）の運転周波数を増加させる。これにより、第２段目〜第５段目の除湿部（11,…,11）の各々において冷媒回路（100）の冷凍能力が増加し、第２段目〜第５段目の除湿部（11,…,11）の除湿能力が増加する。
【００７９】
《除湿能力増加動作》
また、コントローラ（30）は、第１段目の除湿部（11）の異常を検出すると、第２の除湿ユニット（20）の加熱器（22）の加熱温度を上昇させる。これにより、吸着ロータ（21）における除湿能力（吸着剤の除湿能力）の再生が促進され、吸着ロータ（21）の除湿能力が増加する。
【００８０】
〈効果〉
以上のように、除湿部（11,…,11）のうち少なくとも１つの除湿部において異常が検出された場合に、異常停止動作および流路遮断動作が実行されることにより、給気通路（P1）を流れる空気が除湿部（11,…,11）のうち異常が検出された除湿部の第１および第２の吸着熱交換器（101,102）（すなわち、冷媒回路（100）の停止により除湿能力が低下した吸着熱交換器）を通過しないようにすることができる。これにより、所定時間内において除湿部（11,…,11）の各々を通過する空気（具体的には、給気通路（P1）の空気）の総量に対して除湿部（11,…,11）の各々において所定時間内に空気中から取り除かれる水分の総量が占める割合（すなわち、第１の除湿ユニット（10）における除湿率）の低下を抑制することができるので、第１の除湿ユニット（10）の異常に起因する除湿システム（1）の除湿能力の低下を抑制することができる。
【００８１】
《風量増加動作に関する効果》
また、除湿部（11,…,11）のうち異常が検出された除湿部において空気の通過が遮断されることにより第１の除湿ユニット（10）の風量が低下してしまうが、風量増加動作が実行されることにより、除湿部（11,…,11）のうち異常が検出されていない除湿部において第１および第２の吸着熱交換器（101,102）を通過する空気の風量を増加させることができる。これにより、第１の除湿ユニット（10）の風量不足を補うことができるので、給気通路（P1）における風量低下を抑制することができる。その結果、調湿空間（S100）に必要とされている給気風量を確保することができる。
【００８２】
《周波数増加動作に関する効果》
また、除湿部（11,…,11）のうち少なくとも１つの除湿部において異常が検出された場合に、周波数増加動作が実行されることにより、除湿部（11,…,11）のうち異常が検出されていない除湿部の除湿能力を増加させることができる。これにより、第１の除湿ユニット（10）における除湿率を増加させることができるので、除湿システム（1）の除湿能力の低下を抑制しつつ給気通路（P1）の風量低下を抑制することができる。その結果、調湿空間（S100）に必要とされている露点を確保することができる。
【００８３】
《除湿能力増加動作に関する効果》
さらに、除湿部（11,…,11）のうち少なくとも１つの除湿部において異常が検出された場合に、除湿能力増加動作が実行されることにより、第２の除湿ユニット（20）（具体的には、吸着ロータ（21））の除湿能力を増加させることができる。これにより、除湿システム（1）の除湿能力の低下をさらに抑制することができる。
【００８４】
《ケーシング内における冷媒回路の構成部品の配置に関する効果》
また、圧縮機（103）を給気ファン室（S603）ではなく排気ファン室（S703）に配置することにより、圧縮機（103）の内部に収容される高圧高温の冷媒により加熱された空気を第２の除湿ユニット（20）に供給することなく排気（EA）として室外に排出することができる。これにより、圧縮機（103）を通過した空気によって第２の除湿ユニット（20）の除湿能力が低下してしまうことを防止することができる。
【００８５】
さらに、圧縮機（103）および四方切換弁（105）を給気ファン室（S603）ではなく排気ファン室（S703）に配置することにより、配管の接続不良（例えば、ロウ付け不良）などによって圧縮機（103）（または、四方切換弁（105））から漏れ出した冷媒や油が調湿空間（S100）に流れ込んでしまうことを防止することができる。
【００８６】
なお、冷媒回路（100）にアキュームレータや圧力センサ（図示を省略）が設けられている場合、これらの構成部品や電装品の冷却フィンなどを排気ファン室（S703）に設けらていても良い。このように構成することにより、これらの部品に故障が発生して修理や交換を行う際に給気（除湿部（11）から給気通路（P1）に流れ出す空気）に粉塵が混入するおそれをなくすこともできる。
【００８７】
《冷却空気通路に関する効果》
また、冷却器（41）によって冷却除湿された空気の一部を冷却空気通路（P4）を経由して再生空気通路（P2）に供給することにより、第１の除湿ユニット（10）の除湿部（11,…,11）の各々の除湿能力の再生に、乾燥冷却空気（冷却器（41）によって冷却除湿された空気の一部）を利用することができる。これにより、第１の除湿ユニット（10）の除湿部（11,…,11）の各々における除湿能力の再生を促進させることができる。
【００８８】
また、乾燥冷却空気（冷却器（41）によって冷却除湿された空気の一部）によって排気ファン室（S703）に収容された冷媒回路（100）の構成部品（この例は、圧縮機（103）および四方切換弁（105））を冷却することができる。これにより、これらの部品の異常過熱を防止することができる。
【００８９】
（その他の実施形態）
なお、除湿システム（1）は、第１の除湿ユニット（10）と第２の除湿ユニット（20）との間に設けられて空気を冷却する中間冷却器をさらに備えていても良い。また、除湿システム（1）に還気通路（P3）が設けられていなくても良い。
【００９０】
また、第１および第２の吸着熱交換器（101,102）および吸着ロータ（21）の吸着剤として主に水蒸気の吸着を行う材料（シリカゲルやゼオライトなど）を用いる場合を例に挙げて説明したが、第１および第２の吸着熱交換器（101,102）および吸着ロータ（21）の吸着剤として水蒸気の吸着および吸収の両方を行う材料（例えば、吸湿性を有する有機高分子材料）を用いても良い。
【００９１】
このような有機高分子材料では、分子中に親水性の極性基を有する複数の高分子主鎖が互いに架橋されており、互いに架橋された複数の高分子主鎖が三次元構造体を形成している。有機高分子材料を用いて構成された吸着剤は、水蒸気を捕捉（すなわち、吸湿）することによって膨潤する。この吸着剤が吸湿することによって膨潤するメカニズムは、以下のようなものと推測される。すなわち、この吸着剤が吸湿する際には、親水性の極性基の回りに水蒸気が吸着され、親水性の極性基と水蒸気が反応することで生じた電気的な力が高分子主鎖に作用し、その結果、高分子主鎖が変形する。そして、変形した高分子主鎖同士の隙間へ水蒸気が毛細管力によって取り込まれ、水蒸気が入り込むことによって複数の高分子主鎖からなる三次元構造体が膨らみ、その結果、吸着剤の体積が増加する。
【００９２】
このように、有機高分子材料を用いて構成された吸着剤では、水蒸気が吸着剤に吸着される現象と、水蒸気が吸着剤に吸収される現象の両方が起こる。すなわち、この吸着剤には、水蒸気が収着される。また、この吸着剤に捕捉された水蒸気は、互いに架橋された複数の高分子主鎖からなる三次元構造体の表面だけでなく、その内部にまで入り込む。その結果、この吸着剤には、表面に水蒸気を吸着するだけのゼオライトなどに比べ、多量の水蒸気が捕捉される。また、有機高分子材料を用いて構成された吸着剤は、水蒸気を放出（すなわち、放湿）することによって収縮する。すなわち、この吸着剤が放湿する際には、高分子主鎖同士の隙間に捕捉された水の量が減少し、複数の高分子主鎖で構成された三次元構造体の形状が元に戻ることにより、吸着剤の体積が減少する。
【００９３】
なお、有機高分子材料を吸着剤として用いる場合を例に挙げて説明したが、吸湿することによって膨潤して放湿することによって収縮する他の材料（例えば、吸湿性を有するイオン交換樹脂）を吸着剤として用いても良い。
【００９４】
最後に、以上の実施形態は、本質的に好ましい例示であって、本発明、その適用物、あるいはその用途の範囲を制限することを意図するものではない。
【産業上の利用可能性】
【００９５】
以上説明したように、上述の除湿システムは、ドライクリーンルームなどの調湿空間を除湿する除湿システムとして有用である。
【符号の説明】
【００９６】
１                除湿システム
Ｐ１              給気通路
Ｐ２              再生空気通路
Ｐ３              還気通路
Ｐ４              冷却空気通路
１０              第１の除湿ユニット
１１              除湿部
１００            冷媒回路
１０１            第１の吸着熱交換器
１０２            第２の吸着熱交換器
１０３            圧縮機
１０４            膨張弁
１０５            四方切換弁
１０６，１０７    空気通路切換部
２０              第２の吸湿
２１              吸着ロータ
２２              加熱器
３０              コントローラ（制御ユニット）
４１              冷却器
４２              ドレンパン
４３              給気ファン
４４              排気ファン
４５              還気ファン
５０              ケーシング
５０１〜５０８    ダクト
６００            給気ファン（第１のファン）
７００            排気ファン（第２のファン）
【図１】
2014149119.tif 000003
【図２】
2014149119.tif 000004
【図３】
2014149119.tif 000005
【図４】
2014149119.tif 000006
【図５】
2014149119.tif 000007